【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
遮断回路（１００）のための電源供給回路（４００）であって、
前記遮断回路（１００）の入力（１０２）に接続されるように構成された第１の接続ポイント（ＣＰ１）、および前記遮断回路（１００）の出力（１０４）に接続されるように構成された第２の接続ポイント（ＣＰ２）と、
前記第１の接続ポイント（ＣＰ１）と前記第２の接続ポイント（ＣＰ２）の間で直列に、かつ互いに逆方向に接続された第１の整流器（４１６）および第２の整流器（４１８）と、
前記第１の接続ポイント（ＣＰ１）と前記第２の接続ポイント（ＣＰ２）の間で直列に接続された第１のスイッチ（４１２）および第２のスイッチ（４１４）であって、前記第１の整流器（４１６）および前記第２の整流器（４１８）に並列に接続される第１のスイッチ（４１２）および第２のスイッチ（４１４）と、
前記第１の整流器（４１６）と前記第２の整流器（４１８）の間に接続された第１の接続ポイント（ＣＰ１Ｃ１）と、前記第１のスイッチ（４１２）と前記第２のスイッチ（４１４）の間に接続された第２の接続ポイント（ＣＰ２Ｃ１）とを有する第１のキャパシタ（Ｃ１）であって、第１のキャパシタ（Ｃ１）の前記第１の接続ポイント（ＣＰ１Ｃ１）は、前記遮断回路（１００）の電力コンシューマ（１１０ａ、１１０ｂ、．．．、１１０ｎ）に接続されるようにさらに構成される、第１のキャパシタ（Ｃ１）と
を備え、
前記入力（１０２）から前記出力（１０４）に流れる電流が、前記第１の整流器（４１６）、前記第１のキャパシタ（Ｃ１）、および前記第２のスイッチ（４１４）を通り、その結果、前記第１のキャパシタ（Ｃ１）に帯電させるように前記第１のスイッチ（４１２）を開くこと、および
前記出力（１０４）から前記入力（１０２）に流れる電流が、前記第２の整流器（４１８）、前記第１のキャパシタ（Ｃ１）、および前記第１のスイッチ（４１２）を通り、その結果、前記第１のキャパシタ（Ｃ１）に帯電させるように前記第２のスイッチ（４１４）を開くことのうちの少なくとも１つを行うように構成される電源供給回路（４００）。
【請求項２】
前記入力（１０２）から前記出力（１０４）に流れる前記電流が前記第１の整流器（４１６）、前記第１のキャパシタ（Ｃ１）、および前記第２のスイッチ（４１４）を通り、その結果、前記第１のキャパシタ（Ｃ１）に帯電させるように前記第１のスイッチ（４１２）を開き、かつ前記第２のスイッチ（４１４）を閉じること、および
前記出力（１０４）から前記入力（１０２）に流れる前記電流が、前記第２の整流器（４１８）、前記第１のキャパシタ（Ｃ１）、および前記第１のスイッチ（４１２）を通り、その結果、前記第１のキャパシタ（Ｃ１）に帯電させるように前記第１のスイッチ（４１２）を閉じ、かつ前記第２のスイッチ（４１４）を開くことのうちの少なくとも１つを行うように構成された請求項１に記載の電源供給回路（４００）。
【請求項３】
前記第１の整流器（４１６）は、第３のスイッチであり、かつ前記第２の整流器（４１８）は、第４のスイッチである、電源供給回路（４００）であって、
前記入力（１０２）から前記出力（１０４）に流れる前記電流が、前記第３のスイッチ、前記第１のキャパシタ（Ｃ１）、および前記第２のスイッチ（４１４）を通り、その結果、前記第１のキャパシタ（Ｃ１）に帯電させるように前記第１のスイッチ（４１２）を開き、かつその後、前記第３のスイッチを閉じること、および
前記出力（１０４）から前記入力（１０２）に流れる前記電流が、前記第４のスイッチ、前記第１のキャパシタ（Ｃ１）、および前記第１のスイッチ（４１２）を通り、その結果、前記第１のキャパシタ（Ｃ１）に帯電させるように前記第２のスイッチ（４１４）を開き、かつその後、前記第４のスイッチを閉じることのうちの少なくとも１つを行うように構成された請求項１または２に記載の電源供給回路（４００）。
【請求項４】
前記第１の整流器（４１６）は、第１のダイオードであり、かつ前記第２の整流器（４１８）は、第２のダイオードであり、前記第１のダイオードは、前記出力（１０４）に向かう方向で構成され、かつ前記第２のダイオードは、前記入力（１０２）に向かう方向で構成される、請求項１または２に記載の電源供給回路（４００）。
【請求項５】
前記遮断回路（１００）の前記入力（１０２）と第１のスイッチ（１０６）の間に接続されるように構成された第３の接続ポイント（ＣＰ３）、および前記遮断回路（１００）の前記出力（１０４）と第２のスイッチ（１０８）の間に接続されるように構成された第４の接続ポイント（ＣＰ４）と、
前記第３の接続ポイント（ＣＰ３）と前記第４の接続ポイント（ＣＰ４）の間で直列に、かつ互いに逆方向に接続された第３の整流器（４３２）および第４の整流器（４３３）とをさらに備える電源供給回路（４００）であって、
前記第１のキャパシタ（Ｃ１）の前記第１の接続ポイント（ＣＰ１Ｃ１）は、前記第３の整流器（４３２）と前記第４の整流器（４３３）の間に接続される、請求項１から４のいずれか一項に記載の電源供給回路（４００）。
【請求項６】
前記第３の整流器（４３２）は、第５のスイッチであり、かつ前記第４の整流器（４３３）は、第６のスイッチである、請求項５に記載の電源供給回路（４００）。
【請求項７】
前記第３の整流器（４３２）は、前記出力（１０４）に向かう方向で構成された第３のダイオードであり、かつ前記第４の整流器（４３３）は、前記入力（１０２）に向かう方向で構成された第４のダイオードである、請求項５に記載の電源供給回路（４００）。
【請求項８】
前記第３の整流器（４３２）、前記第４の整流器（４３３）、および前記第１のキャパシタ（Ｃ１）の前記第１の接続ポイント（ＣＰ１Ｃ１）の間に接続された電流制限器（４３４）をさらに備える請求項５から７のいずれか一項に記載の電源供給回路（４００）。
【請求項９】
前記第３の整流器（４３２）と前記第４の整流器（４３３）の間に接続された第１の接続ポイント（ＣＰ１Ｃ２）と、電源供給回路（４００）の前記第１のスイッチ（４１２）と前記第２のスイッチ（４１４）の間に接続された第２の接続ポイント（ＣＰ２Ｃ２）とを有する第２のキャパシタ（Ｃ２）をさらに備える請求項５から８のいずれか一項に記載の電源供給回路（４００）。
【請求項１０】
前記第１のキャパシタ（Ｃ１）の前記第２の接続ポイント（ＣＰ２Ｃ１）と前記第２のキャパシタ（Ｃ２）の前記第２の接続ポイント（ＣＰ２Ｃ２）のうちの少なくとも１つは、前記遮断回路（１００）の基準接地（ＲＥＦ）に接続される、請求項１から９のいずれか一項に記載の電源供給回路（４００）。
【請求項１１】
遮断回路（１００）のための電源供給回路（４００）であって、
前記遮断回路（１００）の入力（１０２）に接続されるように構成された第１の接続ポイント（ＣＰ１）、および前記遮断回路（１００）の出力（１０４）に接続されるように構成された第２の接続ポイント（ＣＰ２）と、
前記第１の接続ポイント（ＣＰ１）と前記第２の接続ポイント（ＣＰ２）の間に接続された第１の整流器（４１６）と、
前記第１の接続ポイント（ＣＰ１）と前記第２の接続ポイント（ＣＰ２）の間に接続された第１のスイッチ（４１２）であって、前記第１の整流器（４１６）に並列に接続される、第１のスイッチ（４１２）と、
前記第１の整流器（４１６）に接続された第１の接続ポイント（ＣＰ１Ｃ１）と、前記第１のスイッチ（４１２）に接続された第２の接続ポイント（ＣＰ２Ｃ１）とを有する第１のキャパシタ（Ｃ１）であって、第１のキャパシタ（Ｃ１）の前記第１の接続ポイント（ＣＰ１Ｃ１）は、前記遮断回路（１００）の電力コンシューマ（１１０）に接続されるようにさらに構成される、第１のキャパシタと（Ｃ１）を備え、
前記入力（１０２）から前記出力（１０４）に流れる電流が、前記第１の整流器（４１６）および前記第１のキャパシタ（Ｃ１）を通り、その結果、前記第１のキャパシタ（Ｃ１）に帯電させるように前記第１のスイッチ（４１２）を開くように構成される電源供給回路（４００）。
【請求項１２】
遮断回路（１００）のための電源供給回路（４００）であって、
前記遮断回路（１００）の入力（１０２）に接続されるように構成された第１の接続ポイント（ＣＰ１）、および前記遮断回路（１００）の出力（１０４）に接続されるように構成された第２の接続ポイント（ＣＰ２）と、
前記第１の接続ポイント（ＣＰ１）と前記第２の接続ポイント（ＣＰ２）の間に接続された第２の整流器（４１８）と、
前記第１の接続ポイント（ＣＰ１）と前記第２の接続ポイント（ＣＰ２）の間に接続された第２のスイッチ（４１４）であって、前記第２の整流器（４１８）に並列に接続される、第２のスイッチ（４１４）と、
前記第２の整流器（４１８）に接続された第１の接続ポイント（ＣＰ１Ｃ１）と、前記第２のスイッチ（４１４）に接続された第２の接続ポイント（ＣＰ２Ｃ１）とを有する第１のキャパシタ（Ｃ１）であって、第１のキャパシタ（Ｃ１）の前記第１の接続ポイント（ＣＰ１Ｃ１）は、前記遮断回路（１００）の電力コンシューマ（１１０）に接続されるようにさらに構成される、第１のキャパシタ（Ｃ１）とを備え、
前記出力（１０４）から前記入力（１０２）に流れる電流が、前記第２の整流器（４１８）および前記第１のキャパシタ（Ｃ１）を通り、その結果、前記第１のキャパシタ（Ｃ１）に帯電させるように前記第２のスイッチ（４１４）を開くように構成される電源供給回路（４００）。